(57)【要約】【課題】少しでも安価に自転車用駐輪装置を設置できるようにして、広く普及させることのできる自転車用駐輪装置を提供する。【解決手段】前側の車輪止め部２１と後ろ側のスロープ部２２とからなる車輪ガイド２０を備え、この車輪ガイド２０におけるスロープ部２２の後端を地面に当接して、ここから自転車の前輪を車輪ガイド２０に沿って前側に向かって案内し、車輪ガイド２０における車輪止め部２１に自転車の前輪を載せるようにした自転車用駐輪装置において、車輪ガイド２０における車輪止め部２１の左右側面上方にわたって、車輪止め部２１に載せた自転車の前輪が左右に大きく傾くのを防ぐための左右一対のサポートアーム３０を備えると共に、このサポートアーム３０に広告用プレート３２を着脱自在に取り付けた自転車用駐輪装置である。【選択図】図１
2011088599.tif 000002
【特許請求の範囲】
【請求項１】
前側の車輪止め部２１と後ろ側のスロープ部２２とからなる車輪ガイド２０を備え、この車輪ガイド２０におけるスロープ部２２の後端を地面に当接して、ここから自転車の前輪を車輪ガイド２０に沿って前側に向かって案内し、車輪ガイド２０における車輪止め部２１に自転車の前輪を載せるようにした自転車用駐輪装置において、
車輪ガイド２０における車輪止め部２１の左右側面上方にわたって、車輪止め部２１に載せた自転車の前輪が左右に大きく傾くのを防ぐための左右一対のサポートアーム３０を備えると共に、このサポートアーム３０に広告用プレート３２を着脱自在に取り付けたことを特徴とする自転車用駐輪装置。
【請求項２】
前記広告用プレート３２にあっては、その上部をサポートアーム３０に取り付けると共に、下部を車輪ガイド２０における車輪止め部２１に掛止したことを特徴とする請求項１記載の自転車用駐輪装置。
【発明の詳細な説明】
【技術分野】
【０００１】
本発明は、自転車を駐輪するための自転車用駐輪装置に関する。
【背景技術】
【０００２】
従来、自転車用駐輪装置としては、たとえば、図１１や図１２に示すように、自転車１の前輪２を案内する略へ字状の車輪ガイド３を備えて、この車輪ガイド３は、その前端を立設する支柱４に、後端を地面にそれぞれ固着しており、この車輪ガイド３に沿って前側に向かって自転車１の前輪２を案内するようにしている。また、その前側に立設する支柱４の上部に車輪固定装置５を備えることにより、この車輪固定装置５にて自転車１の前輪２をロック可能にしている。なお、この車輪固定装置５における自転車１の前輪２のロック及び解除については駐輪用コントローラ６にてコントロールするようにしている。
【０００３】
そして、このような自転車用駐輪装置において、車輪ガイド３の高さを高くした高タイプと低くした低タイプとに分けて、この高タイプと低タイプとを交互に複数並列に配置するようにしている。
【０００４】
また、特許文献１である特開２００８−３７２９８号公報にも、これと同様の構成のものが記載されており、この自転車用駐輪装置も、自転車の前輪を案内する略へ字状の車輪ガイドを備えて、この車輪ガイドに沿って前側に向かって自転車の前輪を案内するようにしていると共に、その前側に備えた車輪固定装置にて前輪をロック可能にしている。
【０００５】
このような自転車用駐輪装置については、近年、放置自転車という社会問題を解消するため、鉄道の駅周辺、デパートやスーパーなどの商業施設の周辺などのいろいろな場所に設置されるようになってきていた。
【先行技術文献】
【特許文献】
【０００６】
【特許文献１】特開２００８−３７２９８号公報
【発明の概要】
【発明が解決しようとする課題】
【０００７】
このようにいろいろな場所に広く普及しつつある自転車用駐輪装置にあっては、これを設置する場合、少なくとも数百個から千個以上での設置となることから、高額な費用が掛かるといった問題があった。このため、自転車用駐輪装置を設置する事業者にとっては、高額な費用が掛かることから、なかなか自転車用駐輪装置の設置が進まないといったのが現状であった。
【０００８】
本発明は、このような問題に鑑み、少しでも安価に自転車用駐輪装置を設置できるようにして、広く普及させることのできる自転車用駐輪装置を提供することを、その課題とする。
【課題を解決するための手段】
【０００９】
第一の発明は、前側の車輪止め部と後ろ側のスロープ部とからなる車輪ガイドを備え、この車輪ガイドにおけるスロープ部の後端を地面に当接して、ここから自転車の前輪を車輪ガイドに沿って前側に向かって案内し、車輪ガイドにおける車輪止め部に自転車の前輪を載せるようにした自転車用駐輪装置において、車輪ガイドにおける車輪止め部の左右側面上方にわたって、車輪止め部に載せた自転車の前輪が左右に大きく傾くのを防ぐための左右一対のサポートアームを備えると共に、このサポートアームに広告用プレートを着脱自在に取り付けた自転車用駐輪装置である。
【００１０】
第二の発明は、第一の発明において、前記広告用プレートにあっては、その上部をサポートアームに取り付けると共に、下部を車輪ガイドにおける車輪止め部に掛止した自転車用駐輪装置である。
【発明の効果】
【００１１】
第一の発明によれば、車輪ガイドの左右側面上方にわたって左右一対のサポートアームを備えると共に、このサポートアームに広告用プレートを取り付けることにより、この広告用プレートに広告を載せて、広告収入を得ることができ、この広告収入によって、自転車用駐輪装置を設置する際の費用をいくらか賄うことで、自転車用駐輪装置の設置のための費用を安価にすることができ、自転車用駐輪装置の普及を促進させることができる。
【００１２】
また、サポートアームに取り付けた広告用プレートを着脱自在にしたことにより、広告用プレートを、不要な場所の自転車用駐輪装置には取り付けず、必要な場所の自転車用駐輪装置のみに取り付けることができ、費用対効果の優れたものにすることができる。
【００１３】
第二の発明によれば、広告用プレートの上部をサポートアームに取り付けると共に、下部を車輪ガイドにおける車輪止め部に掛止したことにより、取り付けた広告用プレートががたつくのを無くして、がたつきによる騒音や破損を防止することで、自転車用駐輪装置を長期にわたって良好に使用することができる。
【図面の簡単な説明】
【００１４】
【図１】本発明の自転車用駐輪装置の側面図である。
【図２】本発明の自転車用駐輪装置の平面図である。
【図３】車輪固定装置を説明する斜視図である。
【図４】本発明の自転車用駐輪装置における接合用ブラケット及び補強スタンドの側面視説明図である。
【図５】本発明の自転車用駐輪装置における接合用ブラケット及び補強スタンドの正面視説明図である。
【図６】本発明の自転車用駐輪装置における広告用プレートを説明する斜視図である。
【図７】本発明の低タイプの自転車用駐輪装置の側面図である。
【図８】本発明の低タイプの自転車用駐輪装置における補強スタンドを説明する斜視図である。
【図９】本発明の別の自転車用駐輪装置の側面図である。
【図１０】本発明の別の自転車用駐輪装置における車輪止め部の正面視説明図である。
【図１１】従来の自転車用駐輪装置の概略説明図である。
【図１２】従来の自転車用駐輪装置の概略説明図である。
【発明を実施するための形態】
【００１５】
本発明による自転車用駐輪装置の一実施形態について説明する。
まず、図１及び図２に示すように、取り付け用ベースブロック１１を設置し、この取り付け用ベースブロック１１に支柱１２を立設する。この支柱１２は断面ロ字形の四角筒体状となり、その上端に車輪固定装置１３を取り付けている。
【００１６】
この車輪固定装置１３としては、概略形状を平面視Ｕ字状にして、この内側を車輪挿入部１５とすると共に、この車輪挿入部１５内に両側から飛び出す一対のストッパー部材１６を設けた構成にして、この車輪挿入部１５内に自転車の前輪を挿入すると、これを検知して一対のストッパー部材１６が両側から飛び出して自転車の前輪をロックするようにしている。なお、この車輪固定装置１３におけるストッパー部材１６による自転車の前輪のロックは、図示していない駐輪用コントローラによってコントロールされており、ロックを解除する際は駐輪用コントローラにて行われるようにしている。また、図３に示すように、車輪固定装置１３には、その上面における前部と中央やや後部とに番号プレート１７をそれぞれ取り付けており、この番号プレート１７によって、前方側と後方側との両側から自転車用駐輪装置の番号を見ることができるようになり、これにより、自転車の駐輪した位置を容易に確認することができる。
【００１７】
そして、自転車用駐輪装置としては、その前端を立設する支柱１２に固着し、その後端を地面に当接するようになる車輪ガイド２０を備える。この車輪ガイド２０は、前側の略半分を構成する若干斜め下方に向かうレール状の車輪止め部２１と、後ろ側の略半分を構成する斜め上方に向かうレール状のスロープ部２２と、から全体の形状を前後に向かって略へ字状にする。また、このレール状の車輪止め部２１とスロープ部２２とは、自転車の前輪を載せて保持あるいは案内できるように、その断面形状を上向きコ字形の樋状にしている。なお、スロープ部２２の後端である地面と当接する箇所には進入用ガイド片２３を設けており、この進入用ガイド片２３は、その横幅を下側（地面側）に向けて若干広がるようにすることで、自転車の前輪の進入を容易に行えるようにしている。また、図４及び図５に示すように、車輪ガイド２０における前後略中間となる位置に、車輪止め部２１とスロープ部２２とを接合するための接合用ブラケット２４を備える。この接合用ブラケット２４は断面形状をＨ字形にし、側面に孔部２５を設ける。
【００１８】
さらに、車輪ガイド２０の前後略中間である接合用ブラケット２４に補強スタンド２６を取り付ける。この補強スタンド２６は、図４及び図５に示すように、左右一対の立設するパイプ材２７と、この左右のパイプ材２７の下端を連接する底板材２８とから構成し、底板材２８をボルトにて地面に固着している。この補強スタンド２６にあっては、左右のパイプ材２７の上部に縦長状の孔部２９を設けて、この孔部２９を介してボルトにて接合用ブラケット２４に取り付くようになっており、これにより、車輪ガイド２０の前後略中間を支えている。なお、孔部２９を縦長状にすることにより、取り付け位置を上下方向において調整可能とし、当該自転車用駐輪装置を設置する際、設置場所において地面の多少の凹凸があっても、補強スタンド２６を調整しながら取り付けることで、車輪ガイド２０が歪んだりすることなく、常に正しい状態での設置を可能とする。
【００１９】
そして、車輪ガイド２０における車輪止め部２１の左右側面上方にわたって、左右一対のサポートアーム３０を備える。このサポートアーム３０はパイプ材料を略Ｌ字状にし、前端と後端下部とに孔部３１をそれぞれ設けたものであって、その前端を支柱１２の上部にボルトで当該支柱１２の内側より固着すると共に、後端下部を車輪ガイド２０の前後略中間である接合用ブラケット２４にボルトで固着している。この左右一対のサポートアーム３０によって、車輪ガイド２０における車輪止め部２１に載せた自転車の前輪が左右に大きく傾くのを防ぐことで、車輪ガイド２０から自転車の前輪が外れて、自転車がひっくりかえるのを防止している。
【００２０】
また、このサポートアーム３０には、広告用プレート３２を着脱自在に取り付ける。図６に示すように、広告用プレート３２にあっては、横向き長方形状のプレート部３３とその上部に設けたフック部３４とからなり、フック部３４を２つ設けて、ここをボルトにてサポートアーム３０に着脱自在に取り付くようにしている。さらに、この広告用プレート３２におけるプレート部３３の裏面の下部両端には舌状の掛止片３５をそれぞれ設け、この掛止片３５によってプレート部３３の下側を車輪ガイド２０における車輪止め部２１に掛止するようにしている。
【００２１】
この広告用プレート３２のサポートアーム３０への取り付けとしては、２つのフック部３４をサポートアーム３０に引っ掛けると共に、プレート部３３の下部両端に設けた２つの掛止片３５を車輪ガイド２０における車輪止め部２１に掛止させる。そして、フック部３４をボルトにてサポートアーム３０に固着することで、広告用プレート３２をサポートアーム３０に取り付けるようにしている。このように広告用プレート３２にあっては、サポートアーム３０に極めて容易に取り付けることができると共に、掛止片３５によって、プレート部３３の下側が車輪ガイド２０における車輪止め部２１に掛止されることにより、がたつくことが一切ない。
【００２２】
なお、この広告用プレート３２にあっては、その形状は前述の横向き長方形状のものに限定されるものではなく、正方形状、台形状、三角形状、円形状あるいは星形状などいろいろな形状のものが挙げられる。また、その材質についても、何ら限定されるものではなく、プラスチックや鉄板などどのようなものでも良い。さらに、掛止片３５についても、前述のものに限定されるものではなく、たとえばプレート部の裏面の下部全長にわたって、あるいは１ヶ所のみに設けるようにしたものでも良い。
【００２３】
一方、前述した自転車用駐輪装置にあっては、車輪ガイド２０の高さを高くした高タイプの自転車用駐輪装置であったが、これとは別に車輪ガイド２０の高さを低くした低タイプの自転車用駐輪装置もあり、これは、基本的な構成は高タイプの自転車用駐輪装置と同じで、車輪ガイド２０における車輪止め部２１、左右一対のサポートアーム３０や広告用プレート３２については高タイプのものと同様であるが、図７に示すように、車輪ガイド２０におけるスロープ部２２については前述した接合用ブラケット２４を介在させることなく、直接、車輪ガイド２０における車輪止め部２１に接合するようになり、また、その全体が前述した進入用ガイド片２３と同じ横幅を下側（地面側）に向けて若干広がるような形状にしている。さらに、補強スタンド２６についても、図８に示すように、左右一対のＬ字状のものとし、ここにも縦長状の孔部２９を設ける。
【００２４】
この低タイプの自転車用駐輪装置も用意するによって、高タイプの自転車用駐輪装置と共に、これらを交互に複数並列に配置、要するに、高タイプの自転車用駐輪装置と低タイプの自転車用駐輪装置とを交互に配置することで、自転車を段違いに駐輪することができ、狭い場所でもより多くの自転車を駐輪させることができる。ただし、これに限定されるものではなく、自転車を段違いに駐輪させることなく、高タイプの自転車用駐輪装置のみを複数並列に配置、あるいは低タイプの自転車用駐輪装置のみを複数並列に配置させるようにしても良い。
【００２５】
このような構成となる自転車用駐輪装置にあっては、車輪ガイド２０における車輪止め部２１の左右側面上方にわたって左右一対のサポートアーム３０を備えると共に、このサポートアーム３０に広告用プレート３２を取り付けることにより、この広告用プレート３２に広告を載せて、広告収入を得ることができる。そして、広告用プレート３２により得た広告収入によって、自転車用駐輪装置を設置する際の費用をいくらか賄うことができ、これにより、自転車用駐輪装置の設置のための費用を安価にして、自転車用駐輪装置の普及の促進を図ることができる。
【００２６】
また、サポートアーム３０に取り付けた広告用プレート３２については、これを着脱自在にしたことにより、この広告用プレート３２を、不要な場所の自転車用駐輪装置には取り付けず、必要な場所の自転車用駐輪装置のみに取り付けることができ、費用対効果の優れたものにすることができる。
【００２７】
これについては、自転車用駐輪装置を複数並列に間隔を狭めて配置した際の中央付近の自転車用駐輪装置や柱及び壁際に配置した自転車用駐輪装置では取り付けた広告用プレート３２が見えにくいため、このような場所の自転車用駐輪装置には広告用プレート３２を取り付けず、広告用プレート３２がよく見える複数並列に配置した際の端付近の自転車用駐輪装置のみに広告用プレート３２を取り付けるようにする。または、高タイプの自転車用駐輪装置と低タイプの自転車用駐輪装置とを交互に配置した場合は、低タイプの自転車用駐輪装置には広告用プレート３２を取り付けることなく、広告用プレート３２がよく見える高タイプの自転車用駐輪装置のみに広告用プレート３２を取り付けるようにする。このように広告用プレート３２が見えにくい不要な場所と広告用プレート３２がよく見える必要な場所とに区別して、必要な場所の自転車用駐輪装置のみに広告用プレート３２を取り付けることにより、費用対効果を高めるようにする。
【００２８】
さらに、広告用プレート３２の上部をサポートアーム３０に取り付けると共に、下部を車輪ガイド２０における車輪止め部２１に掛止したことにより、取り付けた広告用プレート３２ががたつくのを無くして、がたつきによる騒音や破損を防止し、特に、屋外に自転車用駐輪装置を設置した場合、風などの影響を受けても、広告用プレート３２ががたつくことが無いことから、自転車用駐輪装置を長期にわたって良好に使用することができる。
【００２９】
また、本発明による自転車用駐輪装置にあっては、前述のものに限定されるものではない。そこで、本発明による自転車用駐輪装置の別の実施形態について説明する。基本的構成は前述した自転車用駐輪装置と同様であるが、車輪ガイド２０における車輪止め部２１において異なるので、これについて図９及び図１０を用いて述べる。
【００３０】
車輪ガイド２０における車輪止め部２１としては、前述した前後に向かうレール状のものではなく、この代わりに、図１０に示すように、パイプ材料を略Ｕ字状にし、その上部を左右一対のサポートアーム３０に垂下するように取り付けたものであって、要するに、車輪ガイド２０における車輪止め部２１の左右側面上方にわたって、左右一対のサポートアーム３０を備えている。また、サポートアーム３０への車輪止め部２１の取り付け位置は前後に調節可能にしている。これにより、略Ｕ字状の車輪止め部２１に自転車の前輪を載せつつ、この車輪止め部２１と支柱１２の上端に取り付けた車輪固定装置１３とで自転車の前輪を保持するようにすると共に、サポートアーム３０にて自転車の前輪が左右に大きく傾くのを防ぐようにしている。
【００３１】
そして、前述の自転車用駐輪装置と同様、サポートアーム３０には、広告用プレート３２を着脱自在に取り付けると共に、この広告用プレート３２におけるプレート部３３の下部を掛止フック３６を介して略Ｕ字状の車輪止め部２１に掛止するようにしている。
【００３２】
なお、この本発明による自転車用駐輪装置の別の実施形態にあっても、前述の自転車用駐輪装置と同様の作用効果を奏するものである。
【符号の説明】
【００３３】
１…自転車、２…前輪、３…車輪ガイド、４…支柱、５…車輪固定装置、６…駐輪用コントローラ、１１…取り付け用ベースブロック、１２…支柱、１３…車輪固定装置、１５…車輪挿入部、１６…ストッパー部材、１７…番号プレート、２０…車輪ガイド、２１…車輪止め部、２２…スロープ部、２３…進入用ガイド片、２４…接合用ブラケット、２５…孔部、２６…補強スタンド、２７…パイプ材、２８…パイプ材、２９…孔部、３０…サポートアーム、３１…孔部、３２…広告用プレート、３３…プレート部、３４…フック部、３５…掛止片、３６…掛止フック
【図１】
2011088599.tif 000003
【図２】
2011088599.tif 000004
【図３】
2011088599.tif 000005
【図４】
2011088599.tif 000006
【図５】
2011088599.tif 000007
【図６】
2011088599.tif 000008
【図７】
2011088599.tif 000009
【図８】
2011088599.tif 000010
【図９】
2011088599.tif 000011
【図１０】
2011088599.tif 000012
【図１１】
2011088599.tif 000013
【図１２】
2011088599.tif 000014